(57)【要約】【課題】ベース編地から延びる分岐編地の始端および終端が位置する分岐部を強化することができる編地の編成方法を提供する。【解決手段】一方の針床で係止するベース編地３の基点編目群１０，１１，１２と編糸が繋がるように他方の針床に増し目群６，７，８を形成し、基点編目群１０，１１，１２を始端とする分岐編地５を編成し、分岐編地５の終端編目群１０’，１１’，１２’を増し目群６，７，８と重ねて重ね目を形成し、重ね目を含めてベース編地の編成を再開する。【選択図】図２
2016084549.tif 000002
【特許請求の範囲】
【請求項１】
少なくとも前後一対の針床を備え、前後の針床間で目移しが可能な横編機を用いた分岐部を有する編地の編成方法において、
前後一方の針床で係止するベース編地の一部で、分岐部の片側に隣接する基点編目群と編糸が繋がるように前後他方の針床に増し目群を形成する工程１と、
前記基点編目群と前記増し目群の何れか一方の編目群を始端とする分岐編地を編成する工程２と、
前記分岐編地の終端編目群を、前記基点編目群と前記増し目群の何れか他方の編目群と重ねて重ね目を形成した後、該重ね目を含めてベース編地の編成を再開する工程３と、を含むことを特徴とする分岐部を有する編地の編成方法。
【請求項２】
前記工程２での分岐編地の編成は、前記基点編目群と前記増し目群の何れか他方の編目群を係止する針床をラッキングして、前記基点編目群と前記増し目群の何れか一方の編目群の一部の編目と対向する位置に空針を設け、該一部の編目を該空針に目移しを行なった後、筒状に編成することを特徴とする請求項１に記載の分岐部を有する編地の編成方法。
【請求項３】
前記横編機は、対向する前後一対の下方針床と更にその上方に対向する前後一対の上方針床を備える４枚ベッド横編機であり、
前記ベース編地は、前後の下方針床で係止される総針の筒状編地であり、
前記基点編目群は、前後一方の下方針床で係止するベース編地の中間に位置して、該基点編目群に隣接する両側には、ベース編地を構成する編目が係止されており、
前記増し目群は、前後他方の上側針床で形成されることを特徴とする請求項１または請求項２に記載の分岐部を有する編地の編成方法。
【発明の詳細な説明】
【技術分野】
【０００１】
本発明は、ベース編地に分岐部を有する編地の編成方法に関する。
【背景技術】
【０００２】
従来、横編機を用いて編成される編地には、ベース編地から分岐する編地を含むものがある。例えば、ボタンホールには横穴と縦穴があり、特許文献１は、横穴のボタンホールの編成方法に関するものである。ボタンホールでは、その周縁の強度が求められる。
【０００３】
また、図３に示すように、ベース編地２０の編幅の一端から分岐した分岐編地２５が延び、再び分岐部近傍に戻ってベース編地２５と接合するタイプのボタンホールもある。
【０００４】
図３に示すボタンホールの編成工程を図４で示す。編成に使用する横編機は、前後一対の針床を備えた２枚ベッド横編機であり、各針床間で目移しが可能である。図中左側の数字は編成ステップ（Ｓ）を、図中の左右方向の矢印は編成方向を、図中の上下方向の矢印は目移し方向を示す。ＦＢは前針床を、ＢＢは後針床を示す。大文字のＡ〜ＦはＦＢの編針を、小文字のａ〜ｆはＢＢの編針を示す。また、●はその編成ステップで形成される編目を、○はその編成ステップの編成に関係せず編針に係止されたままの編目を示す。
【０００５】
図４のＳ１は、分岐編地２５を形成する直前のベース編地の最終コースの編成である。給糸口Ｙから供給される編糸をＦＢの編針Ａ〜Ｆで編成して編目を形成する。以降の編成ステップにおいて、編針Ｃと編針Ｄの境界部分が分岐部となり、編針Ｄ，Ｅ，Ｆで係止するベース編地２３の端部の３つの編目３０，３１，３２が始端となって、それらに続く編目を形成して分岐編地２５を編成していく。Ｓ２では、編針Ｅで係止していた編目３１を対向するＢＢの編針ｅに目移しする。Ｓ３では、給糸口Ｙを左に移動させて編針ｅで編目を形成する。Ｓ４では、給糸口Ｙを右に移動させて編針Ｄ，Ｆで編目を形成する。ボタンホールの周縁となる分岐編地２５の長さは、Ｓ３とＳ４を繰り返す回数によって調整ができる。Ｓ３とＳ４を所定の回数だけ繰り返した後、Ｓ５では、給糸口Ｙを左に移動させて編針ｅ，Ｄ，Ｃ，Ｂ，Ａで順に編目を形成する。その後、編針ｅで係止している編目３１’を編針Ｅに目移しする。これによって、分岐編地２５の終端編目３０’，３１’，３２’がベース編地２３と接合される。Ｓ５以降は、編針Ａ〜Ｆでベース編地２３の編成を所定の回数だけ繰り返せばよい。
【０００６】
上記の編成方法では、Ｓ１において編針Ｄ，Ｅ，Ｆで係止している編目３０，３１，３２を利用して分岐編地２５を編成しており、編針Ｃと編針Ｄの境界部分が分岐部となっている。また、Ｓ５において分岐編地２５の終端編目である編針Ｄで形成した編目３０’とそれに隣接する編針Ｃで形成した編目２９’が編糸で繋がることで、ベース編地２３と分岐編地２５が接合されており、編針Ｃと編針Ｄの境界部分も分岐部となっている。従って、Ｓ１の編針Ａ〜Ｃで形成した編目とＳ５の編針Ａ〜Ｃで形成した編目は、それぞれウエール方向に編糸で繋がっている。しかし、Ｓ１の編針Ｄ〜Ｆで形成した編目３０，３１，３２とＳ５の編針Ｄ，ｅ，Ｆで形成した編目３０’，３１’，３２’は、それぞれウエール方向に編糸で直接繋がっていない。そのため、ボタンホールのベース編地２３側では、Ｓ１の編針Ｃで形成した編目２９とＳ５の編針Ｃで形成した編目２９’がベース編地２３の端部の編目となっている。編目２９と編目３０の間、および編目２９’と編目３０’の間の編糸（シンカーループ）が引き伸ばされた状態で渡るため、分岐部がベース編地２３側に窪んだように見える傾向がある。また、これらの編目２９，２９’はウエール方向に力が作用すると、引き伸ばされ易く、糸切れの原因にもなるため、分岐部周辺はミシンで補強する必要がある。
【０００７】
また、特許文献２は、ボタンホール周縁の編目に加わる力を分散し、糸切れを防止するための編成方法を開示している。この編成方法では、例えば、特許文献２の図３、図４の編成図で示されているように、ベース編地の側端部の編目が係止されている編針よりも外側（図の右側）の領域の編針（空針）を使用しなければならない。そのため、４枚ベッドの横編機で、この領域に該当する前後の針床に総針編成の編地がそれぞれ係止されていると空針が確保できないため、この編成方法は実施できない。また、２枚ベッドの横編機でも、この領域の前後の針床の何れかに総針編成の編地が係止されていると空針が確保できないため、この編成方法は実施できない。
【先行技術文献】
【特許文献】
【０００８】
【特許文献１】特開２０１２−１９７５２４号公報
【特許文献２】特開２０１２−２５１２５７号公報
【発明の概要】
【発明が解決しようとする課題】
【０００９】
本発明の目的は、ベース編地から延びる分岐編地の始端および終端が位置する分岐部を強化することができる編地の編成方法を提供することである。
【課題を解決するための手段】
【００１０】
本発明は、少なくとも前後一対の針床を備え、前後の針床間で目移しが可能な横編機を用いた分岐部を有する編地の編成方法において、
前後一方の針床で係止するベース編地の一部で、分岐部の片側に隣接する基点編目群と編糸が繋がるように前後他方の針床に増し目群を形成する工程１と、
前記基点編目群と前記増し目群の何れか一方の編目群を始端とする分岐編地を編成する工程２と、
前記分岐編地の終端編目群を、前記基点編目群と前記増し目群の何れか他方の編目群と重ねて重ね目を形成した後、該重ね目を含めてベース編地の編成を再開する工程３と、を含むことを特徴とする分岐部を有する編地の編成方法である。
【００１１】
また本発明の前記工程２での分岐編地の編成は、前記基点編目群と前記増し目群の何れか他方の編目群を係止する針床をラッキングして、前記基点編目群と前記増し目群の何れか一方の編目群の一部の編目と対向する位置に空針を設け、該一部の編目を該空針に目移しを行なった後、筒状に編成することを特徴とする。
【００１２】
また本発明の前記横編機は、対向する前後一対の下方針床と更にその上方に対向する前後一対の上方針床を備える４枚ベッド横編機であり、
前記ベース編地は、前後の下方針床で係止される総針の筒状編地であり、
前記基点編目群は、前後一方の下方針床で係止するベース編地の中間に位置して、該基点編目群に隣接する両側には、ベース編地を構成する編目が係止されており、
前記増し目群は、前後他方の上側針床で形成されることを特徴とする。
【発明の効果】
【００１３】
本発明によれば、ベース編地上の基点編目群と編糸が繋がるように増し目群を形成し、基点編目群と増し目群の何れか一方の編目群を始端として分岐編地を編成する。分岐編地の終端編目群は、基点編目群と増し目群の何れか他方の編目群と重ねられてベース編地と接合する。そのため、ベース編地の分岐部近傍におけるコース方向の編目数が減少しない。また、分岐編地の終端編目群が重ねられて複数の重ね目となって接合される。従って、分岐部は強度に富み、ウエール方向に力が作用しても糸切れが発生しにくいく、後工程でのミシン掛けを不要にできる。また、分岐部でも窪みも発生しないため、見栄えがよい。
【００１４】
また本発明によれば、ラッキングすることで、容易に対向する位置に空針を設けることができ、針床上で左右均等な配置で分岐編地を筒状に編成できる。分岐編地は、筒状に編成されるため、片側の針床のみを使用して単層に編成される場合に比べて強度のあるものにできる。
【００１５】
また本発明によれば、４枚ベッド横編機を使用し、ベース編地が総針の筒状編地の場合であっても、ベース編地の中間から分岐編地を編成することができる。
【図面の簡単な説明】
【００１６】
【図１】本発明の実施例である編地１の編成図である。
【図２】本発明の実施例である編地１の模式図である。
【図３】従来の編地２０の模式図である。
【図４】従来の編地２０の編成図である。
【発明を実施するための形態】
【００１７】
以下、図１の編地１の編成図および図２の模式図を用いて本発明の一実施例としての編地の編成方法を説明する。本実施例で編成に使用する横編機は、対向する前後一対のの下方針床と更にその上方に対向する前後一対の上方針床を備える４枚ベッド横編機であり、各針床間で目移しが可能である。横編機に備える編針は、べら針または複合針の何れであってもよい。図１の編成図にて、図中左側の数字や矢印および●，○の表記は、図４と同様である。ＦＤは下方の前針床を、ＢＤは下方の後針床を、ＦＵは上方の前針床を、ＢＵは上方の後針床を示す。大文字のＡ〜ＬはＦＤ，ＦＵ側の編針を、小文字のａ〜ｌはＢＤ，ＢＵ側の編針を示す。また、◎は重ね目を示す。
【実施例】
【００１８】
図１は、本発明の実施例である編地１の編成図である。図２は、編地１の模式図である。編地１は、総針で編成されるベース編地３と、ベース編地３の一部である中間の位置から分岐して延びて再びベース編地３と接合する分岐編地５とを有する。ベース編地３は、前後の下方針床ＦＤ，ＢＤで編成され、前後の編地の両端部が連結された筒状編地であり、ＦＤの編針Ｆ，Ｇの間のみ繋がっていない。これは、カーディガンのように前開き部を有するニットウェアにおいて、分岐編地５をボタンホールとして適用できる例であって、ＦＤの編針Ｆ，Ｇの間も繋がって完全に閉じた筒状編地であっても本発明の編成方法を適用することができる。
【００１９】
図1のＳ１では、総針で編成されるベース編地３の編目が、ＦＤの編針Ａ〜Ｆ、Ｇ〜ＬおよびＢＤの編針ａ〜ｌに係止されている。分岐編地５を形成する直前のベース編地３の最終コースの編成として、給糸口Ｙから供給される編糸をＦＤの編針Ａ〜Ｆで編成する。以降の編成ステップにおいて、ＦＤの編針Ｃと編針Ｄの境界部分が分岐部となり、分岐部の片側に隣接して分岐編地５を編成していく。
【００２０】
Ｓ２では、給糸口Ｙを左に移動させてベース編地３の中間の位置であるＦＤの編針Ｆ，Ｅ，Ｄで割増やし編成を行なう。これにより、ＦＤの編針Ｆ，Ｅ，Ｄでは新たな編目１０，１１，１２が形成され、元々ＦＤの編針Ｆ，Ｅ，Ｄで係止していた編目６，７，８がＢＵの編針ｆ，ｅ，ｄに目移しされて、増し目となる。新たな編目１０，１１，１２と増し目６，７，８は、それぞれ編糸が繋がっている。増し目は割増やし編成に限らず、新たな編目１０，１１，１２とそれぞれ編糸が繋がるように掛け目で形成してもよい。以降の説明で、新たな編目１０，１１，１２を総称して基点編目群、増し目６，７，８を総称して増し目群と呼ぶ。
【００２１】
Ｓ３では、給糸口Ｙを右に移動させてＢＵの編針ｄ，ｅ，ｆで編目を形成する。これは、Ｓ４でのラッキング時に編糸が突っ張らないように糸長を確保するためと、後述する分岐編地５の終端の編目と接合した際に編地の突っ張りを緩和するための編成であって、必須のものではない。尚、ＢＵの編針ｄ，ｅ，ｆで新たに編目を形成したが、これらは増し目の状態を保っているため、以降の説明では符号（６，７，８）や総称（増し目群）は変更しない。
【００２２】
Ｓ４では、上下の後針床ＢＤ，ＢＵをラッキングして、増し目群（６，７，８）を左へ２ピッチ移動させる。これにより、ＦＤで係止している基点編目群（１０，１１，１２）に含まれる編目１１と対向する位置に空針（ＢＵの編針g）が設けられる。続いて、ＦＤの編針Ｅで係止している編目１１を対向するＢＵの編針gに目移しする。基点編目群（１０，１１，１２）は、ＦＤの編針Ｄ，ＦおよびＢＵの編針gで係止された状態となり、編目１１を中心に左右にそれぞれ編目１２と編目１０は均等に配置される。
【００２３】
Ｓ５では、給糸口Ｙを左に移動させてＢＵの編針gで新たな編目を形成する。
Ｓ６では、給糸口Ｙを右に移動させてＦＤの編針Ｄ，Ｆで新たな編目を形成する。Ｓ５とＳ６の編成により、基点編目群（１０，１１，１２）を始端として、分岐編地５が筒状に編成される。さらにＳ５とＳ６の編成を繰り返すと、筒状の分岐編地５を延ばすことができる。Ｓ５とＳ６の繰り返し回数は、所望の回数だけ行なえばよい。前述のように、編目１１を中心として左右に編目１２と編目１０が均等に配置された状態に続いて筒状に編成するため、編目間の左右の渡り糸をバランスのよい長さにできる。また、筒状に編成しているため、分岐編地を強度のあるものにすることができる。筒状編地のバランスを考慮して、上下の後針床ＢＤ，ＢＵをラッキング後に編目１１を対向するＢＵの編針gに目移ししたが、例えば、ラッキングをしないでＦＤの編針Ｆで係止している編目１０を対向するＢＵの編針gに目移しして、分岐編地５を筒状に編成することもできる。尚、分岐編地５は、筒状に限らず、単層の編地であっても編成することが可能である。
【００２４】
Ｓ５とＳ６の編成を繰り返した後、Ｓ７では、給糸口Ｙを左に移動させてＢＵの編針gとＦＤの編針Ｄ〜Ａで新たな編目を形成する。続いて、ＢＵの編針gで係止している編目１１’を対向するＦＤの編針Ｅに目移しする。分岐編地５は、基点編目群（１０，１１，１２）を始端とし、終端は編目１０’，１１’，１２’となる。以降の説明で、終端の編目１０’，１１’，１２’を総称して終端編目群と呼ぶ。終端編目群（１０’，１１’，１２’）に含まれる編目１２’は、隣接するＦＤの編針Ｃで係止しているベース編地の編目９’と編糸が繋がって接合されている。
【００２５】
Ｓ８では、上下の後針床ＢＤ，ＢＵをラッキングして、増し目群（６，７，８）を右へ２ピッチ移動させ、ＦＤの編針Ｆ，Ｅ，Ｄに目移しして、編目１０’，１１’，１２’と編目６，７，８をそれぞれ重ねて重ね目を形成する。即ち、終端編目群（１０’，１１’，１２’）と増し目群（６，７，８）とで重ね目を形成することで、増し目群（６，７，８）はベース編地３を構成する一部の編目となり、ベース編地３と分岐編地５が接合される。この接合部においても、ＦＤの編針Ｃと編針Ｄの境界部分が分岐部となる。Ｓ８以降は、これらの重ね目を係止する編針Ｆ，Ｅ，Ｄも含めて、ＢＤの編針ａ〜ｌ、ＦＤの編針Ｌ〜Ｇで新たな編目を形成し、折り返して逆向きにＦＤの編針Ｇ〜Ｌ、ＢＤの編針l〜ａ、ＦＤの編針Ａ〜Ｆで編成して新たな編目を形成し、総針でのベース編地の編成を再開する。
【００２６】
本実施例のように、４枚ベッド横編機を使用してベース編地３が総針の筒状編地の場合であっても、増し目群（６，７，８）の形成や分岐編地５の始端から終端までの形成をＦＤの編針Ｄ，Ｅ，ＦとＢＵの編針ｄ〜ｇを使用して行なうことができるため、ベース編地３を構成するその他の編目を係止している下方針床ＦＤ，ＢＤの編針領域は総針で空針が無い状態であってもよい。
【００２７】
図２を用いて、特に編地１の分岐編地５がベース編地３から分岐して再びベース編地３と接合する部分について説明する。尚、図１では基点編目群（１０，１１，１２）に隣接する両側にも、ベース編地３を構成する編目が形成されているが、図２では説明の便宜のため、ＦＤの編針Ａ〜Ｆで形成される編目についてのみ図示する。
【００２８】
ベース編地３から基点編目群（１０，１１，１２）を始端として分岐編地５が形成され、終端編目群（１０’，１１’，１２’）をベース編地３に接合している点は、図３とほぼ同じである。しかし、図３の編地２０において、編目２９’，２９が分岐部近傍でベース編地２３の端部の編目になっているのに対して、図２の編地１では増し目６，７，８がベース編地３の端部の編目となっている。これは、図１のＳ２，Ｓ３で形成した増し目群（６，７，８）をＢＵで保持した状態で分岐編地５を編成し、その終端となる終端編目群（１０’，１１’，１２’）と保持していた増し目群（６，７，８）を重ねたためである。つまり、基点編目群（１０，１１，１２）は分岐編地５の編成に使用し、基点編目群（１０，１１，１２）と繋がるように形成された増し目群（６，７，８）は分岐部近傍でベース編地３の端部を構成する編目として使用したためであり、分岐部近傍の編地の見栄えもよい。
【００２９】
また、分岐編地５の基点編目群（１０，１１，１２）と終端編目群（１０’，１１’，１２’）は共に、増し目群（６，７，８）と繋がった状態であるため、それぞれの結合部分は従来に比べて強度がある。
【００３０】
また、分岐部近傍でウエール方向に力が作用しても、コース方向の編目数が減少せず、本来のベース編地３の端部まで編目が揃っているため、従来に比べて糸切れが発生し難く、後工程でのミシン掛けを不要にすることも可能である。
【００３１】
尚、実施例で、分岐編地５は基点編目群（１０，１１，１２）を始端として形成したが、増し目群（６，７，８）を始端として分岐編地を形成し、その終端となる編目を基点編目群（１０，１１，１２）に重ねて接合してもよい。その場合、分岐編地の始端と終端がベース編地３と結合する位置が、本実施例とは異って編地１の裏面側になる。
【００３２】
尚、本実施例では、ベース編地３の中間の位置に分岐編地を設けたが、ベース編地３の編地端部に設けることもできる。
【００３３】
また本実施例では、４枚ベッド横編機を使用してベース編地が総針の筒状編地の場合であったが、２枚ベッド横編機を使用して、ベース編地が単層の場合は総針または針抜き編成で、べース編地が筒状の場合は針抜き編成で実施することができる。
【符号の説明】
【００３４】
１    編地
３    ベース編地
５    分岐編地
６，７，８    増し目群
１０，１１，１２    基点編目群
１０’，１１’，１２’    終端編目群
【図１】
2016084549.tif 000003
【図２】
2016084549.tif 000004
【図３】
2016084549.tif 000005
【図４】
2016084549.tif 000006